(57)【要約】  シェルと、着用式装置の機能を実現するためにシェルに取り付けられた本体と、着脱可能部品とを備える、着用式装置が提供される。着脱可能部品は、シェルに着脱可能に取り付けられる。シェルには通気口が設けられ、通気口の第1の端部は、本体に面するシェルの表面に配置され、通気口の第2の端部は、本体の反対側に面する、シェルの表面に配置される。着脱可能部品とシェルとは、集塵溝と、少なくとも1つの空気流路とを共に形成し、通気口は、集塵溝を介して少なくとも1つの空気流路と連通し、集塵溝の反対側に面する空気流路の一端は、シェルの外部環境と連通する。本着用式装置では、夾雑物は、平衡通気口に入った後に集塵溝に集められる。集塵溝は、着脱可能部品をシェルから取り外した後に露出され得る。使用者は、集塵溝に溜まった夾雑物を除去することができ、これにより製品使用時の使用感が向上する。
2019516325.tif 000002
【特許請求の範囲】
【請求項１】
着用式装置であって、シェルと、前記着用式装置の機能を実施するために、前記シェルに取り付けられた本体と、着脱可能部品とを備え、前記着脱可能部品は、前記シェルに着脱可能に取り付けられ、前記シェルには通気口が設けられ、前記通気口の第1の端部は、前記本体に面する前記シェルの表面に配置され、前記通気口の第2の端部は、前記本体の反対側に面する前記シェルの表面に配置され、前記着脱可能部品と前記シェルとは、集塵溝と、少なくとも1つの空気流路とを共に形成し、前記通気口は、前記集塵溝を介して前記少なくとも1つの空気流路と連通し、前記集塵溝の反対側に面する前記空気流路の一端が、前記シェルの外部環境と連通する、着用式装置。
【請求項２】
第1の凹部が、前記通気口の前記第2の端部に面する、前記着脱可能部品の表面に設けられ、前記第1の凹部と、前記本体の反対側に面する前記シェルの前記表面とが、前記集塵溝を共に形成する、請求項1に記載の着用式装置。
【請求項３】
第2の凹部が、前記本体の反対側に面する、前記シェルの前記表面に形成され、前記第2の凹部と、前記着脱可能部品の表面とが、前記集塵溝を共に形成する、請求項1に記載の着用式装置。
【請求項４】
第3の凹部が、前記通気口の前記第2の端部に面する、前記着脱可能部品の表面に設けられ、前記第3の凹部の開口とは反対側にある第4の凹部が、前記本体の反対側に面する前記シェルの前記表面に設けられ、前記第3の凹部と前記第4の凹部とが、前記集塵溝を共に形成する、請求項1に記載の着用式装置。
【請求項５】
第5の凹部が、前記着脱可能部品の前記表面に形成され、前記第5の凹部と、前記本体の反対側に面する、前記シェルの前記表面とが、前記空気流路を共に形成する、請求項1〜4のいずれか一項に記載の着用式装置。
【請求項６】
前記空気流路を形成するために、前記着脱可能部品の内部にビアが設けられる、請求項1〜4のいずれか一項に記載の着用式装置。
【請求項７】
少なくとも2つの前記空気流路がある、請求項1〜6のいずれか一項に記載の着用式装置。
【請求項８】
前記本体の反対側に面する前記シェルの前記表面に溝が形成され、前記通気口の前記第2の端部が、前記溝の底部に配置され、前記着脱可能部品の少なくとも一部が、前記溝に嵌め込まれる、請求項1〜6のいずれか一項に記載の着用式装置。
【請求項９】
前記着用式装置が、前記通気口を封止するための防水通気膜をさらに備え、前記防水通気膜が、前記通気口の前記第1の端部を封止するために、前記本体に面する前記シェルの前記表面に配置される、または前記防水通気膜が、前記通気口の前記第2の端部を封止するために、前記本体の反対側に面する、前記シェルの前記表面に配置される、請求項1〜8のいずれか一項に記載の着用式装置。
【発明の詳細な説明】
【技術分野】
【０００１】
本発明は電子技術の分野に関し、特に、着用式装置に関する。
【背景技術】
【０００２】
電子機器技術の急速な発展に伴い、着用式装置の製品は増加の一途をたどり、着用式装置の技術が成熟しつつある。腕時計やリストバンドなどの着用式装置がますます注目され、広く受け入れられるようになってきている。
【０００３】
市場に既に存在する着用式装置は、たいてい防水機能付きであることをうたっている。着用式装置の防水性能を向上させるには、着用式装置の気密性を十分なものにする必要がある。しかしながら、着用式装置の気密性が良好であれば、着用式装置のシェル内外の通気性が極めて悪くなる。さらに、着用式装置を使用していると、シェル内部の温度が徐々に上昇し、シェル内部の空気圧の上昇につながる。シェル内部の空気を効率よく排出できないと、シェルの内部と外部との間で内外の空気圧の差が生じ、シェル内外の空気圧の差は、着用式装置のシェル内のいくつかの構成部品（スピーカなど）に影響を及ぼす。
【０００４】
着用式装置の使用中に、内外の空気圧の差が生じるのを防止するために、現在用いられている方法は、シェル内外の空気圧の平衡をとるために、着用式装置のシェルに、シェルの内部と外部との連通を実施する、平衡通気口を開けることである。また、同時に耐水性を実現するために、平衡通気口の第1の端部に防水通気膜を取り付けて、平衡通気口を通じてシェルの内部に水が入るのを防ぐことが必要になる。
【０００５】
しかしながら、着用式装置は使用時に、人体または外部環境に頻繁に接触し、平衡通気口の第2の端部が外部環境にある塵によって塞がることが多く、平衡通気口でシェル内外の空気圧の平衡をとることができなくなる。さらに、既存の着用式装置のシェルにある、平衡通気口の第2の端部が塞がると、平衡通気口を塞いでいる塵を除去することが使用者にとって非常に困難になり、使用感が悪くなることにつながる。
【発明の概要】
【課題を解決するための手段】
【０００６】
本発明は、着用式装置を提供する。本着用式装置の使用中に、使用者は平衡通気口を塞ぐ塵を簡単に除去することができ、これにより製品使用時の使用感を向上させる。
【０００７】
第1の態様によれば、シェルと、着用式装置の機能を実施するために、シェルに取り付けられた本体と、着脱可能部品であって、着脱可能部品はシェルに着脱可能に取り付けられる、着脱可能部品とを備え、シェルには通気口が設けられ、通気口の第1の端部は、本体に面するシェルの表面に配置され、通気口の第2の端部は、本体の反対側に面する前記シェルの表面に配置され、着脱可能部品とシェルとは、集塵溝と、少なくとも1つの空気流路とを共に形成し、通気口は、集塵溝を介して少なくとも1つの空気流路と連通し、集塵溝の反対側に面する空気流路の一端が、シェルの外部環境と連通する、着用式装置が提供される。
【０００８】
本着用式装置では、平衡通気口に入る際に、外部環境にある塵などの夾雑物は、まず空気流路に入り、次に集塵溝に集められる。着用式装置の平衡通気口を清浄化する必要がある場合は、使用者がシェルから着脱可能部品を取り外せば、集塵溝が露出して、使用者は集塵溝に溜まった夾雑物を除去することができる。したがって、本着用式装置では、使用者は平衡通気口を塞ぐ塵を簡単に除去することができ、これにより製品使用時の使用感が向上する。
【０００９】
第1の態様を参照する、第1の可能な実施方法では、第1の凹部が、通気口の第2の端部に面する、着脱可能部品の表面に設けられ、第1の凹部と、本体の反対側に面するシェルの表面とが、集塵溝を共に形成する。この事例では、着脱可能部品をシェルから取り外すと、集塵溝に溜まった夾雑物もシェルから取り出すことができ、塵の処理の利便性がさらに向上する。
【００１０】
第1の態様を参照する、第2の可能な実施方法では、第1の凹部と、本体の反対側に面するシェルの表面とがさらに、集塵溝と、通気口の第2の端部との連通を実施するように構成された、連結流路を共に形成する。
【００１１】
第1の態様を参照する、第3の可能な実施方法では、第2の凹部が、本体の反対側に面する、シェルの表面に形成され、第2の凹部と、着脱可能部品の表面とが、集塵溝を共に形成する。この事例では、着脱可能部品がシェルに取り付けられた後で、シェルに対して動ける場合であっても、集塵溝と、通気口の第2の端部にある開口との相対位置は変化しない。これにより、集塵溝と、通気口の第2の端部にある開口との連通の安定性をさらに向上させることができる。
【００１２】
第1の態様の第3の可能な実施方法を参照する、第4の可能な実施方法では、第2の凹部と、本体の反対側に面するシェルの表面とがさらに、集塵溝と、通気口の第2の端部との連通を実施するように構成された、連結流路を共に形成する。
【００１３】
第1の態様を参照する、第5の可能な実施方法では、第3の凹部が、通気口の第2の端部にある開口に面する、着脱可能部品の表面に設けられ、第3の凹部の開口とは反対側にある第4の凹部が、本体の反対側に面するシェルの表面に設けられ、第3の凹部と第4の凹部とが、集塵溝を共に形成する。
【００１４】
第1の態様、第1の可能な実施方法、第2の可能な実施方法、第3の可能な実施方法、第4の可能な実施方法、または第5の可能な実施方法のうちのいずれか1つを参照する、第6の可能な実施方法では、第5の凹部が、着脱可能部品の表面に形成され、第5の凹部と、本体の外面とが、空気流路を共に形成する。
【００１５】
第1の態様、第1の可能な実施方法、第2の可能な実施方法、第3の可能な実施方法、第4の可能な実施方法、または第5の可能な実施方法のうちのいずれか1つを参照する、第7の可能な実施方法では、空気流路を形成するために、ビアが着脱可能部品の内側に設けられる。
【００１６】
第1の態様、または第1の態様の第1の可能な実施方法、第2の可能な実施方法、第3の可能な実施方法、第4の可能な実施方法、第5の可能な実施方法、第6の可能な実施方法、および第7の可能な実施方法のうちのいずれか1つを参照する、第8の可能な実施方法では、少なくとも2つの空気流路がある。この事例では、空気流路のうちの1つが塞がれると、集塵溝が、もう1つの空気流路を介してシェルの外部環境となお連通することができる。複数の空気流路が、同時に塞がる可能性は極めて低い。したがって、平衡通気口が塞がる可能性を低くすることができ、着用式装置にある平衡通気口の機能の安定性を向上させることができる。
【００１７】
第1の態様、あるいは第1の態様の第1の可能な実施方法、第2の可能な実施方法、第3の可能な実施方法、第4の可能な実施方法、第5の可能な実施方法、第6の可能な実施方法、および第7の可能な実施方法のいずれか1つを参照する、第9の可能な実施形態では、本体の外面に溝が形成され、通気口の第2の端部は溝の底部に配置されて、着脱可能部品の少なくとも一部が溝に嵌め込まれる。
【００１８】
第1の態様、または第1の態様の第1の可能な実施方法、第2の可能な実施方法、第3の可能な実施方法、第4の可能な実施方法、第5の可能な実施方法、第6の可能な実施方法、および第7の可能な実施方法のうちのいずれか1つを参照する、第10の可能な実施方法では、着用式装置は腕時計であり、着脱可能部品は腕時計バンドである。
【００１９】
第1の態様、または第1の態様の第1の可能な実施方法、第2の可能な実施方法、第3の可能な実施方法、第4の可能な実施方法、第5の可能な実施方法、第6の可能な実施方法、および第7の可能な実施方法のうちのいずれか1つを参照する、第11の可能な実施方法では、識別モジュールであるSIMカードを挿入するように構成されたスロットがシェルに設けられ、着脱可能部品は、スロットに蓋をするように構成されたカードカバーである。
【００２０】
第1の態様、または第1の態様の第1の可能な実施方法、第2の可能な実施方法、第3の可能な実施方法、第4の可能な実施方法、第5の可能な実施方法、第6の可能な実施方法、第7の可能な実施方法、第8の可能な実施方法、第9の可能な実施方法、第10の可能な実施方法、第11の可能な実施方法のうちのいずれか1つを参照する、第12の可能な実施方法では、着用式装置は、通気口を封止するように構成された防水通気膜をさらに備え、防水通気膜は、通気口の第1の端部を封止するために、本体に面するシェルの表面に配置され、または防水通気膜は、通気口の第2の端部を封止するために、本体の反対側に面する、シェルの表面に配置される。防水通気膜の配置後は、通気口の通気性に影響を及ぼすことなく、シェルの内部に水分が入るのを防止することができ、さらに通気口に入る夾雑物を遮断することができる。
【００２１】
第1の態様による着用式装置では、集塵溝は、シェルに設けられた通気口の第2の端部と連通し、空気流路は、集塵溝、および外部環境と連通する。したがって、空気流路と、集塵溝と、通気口とで形成された平衡通気口は、シェルの内部空間と、外部環境との間の連通を実現することができ、これによって、シェルの内外の空気圧平衡機能を実現する。また、平衡通気口に入る際に、外部環境にある塵などの夾雑物は、まず空気流路に入り、次に集塵溝に集められる。着用式装置の平衡通気口を清浄化する必要がある場合は、使用者がシェルから着脱可能部品を取り外せば、集塵溝が露出して、使用者は集塵溝に溜まった夾雑物を除去することができる。したがって、本着用式装置では、使用者は平衡通気口を塞ぐ塵を簡単に除去することができ、これにより製品使用時の使用感が向上する。
【００２２】
本発明の実施形態における技術的解決策をより明確に説明するために、本実施形態の説明に必要な添付の図面について、以下で簡単に説明する。以下の説明における添付の図面が、単に本発明のいくつかの実施形態を示すのみであることは明らかであり、当業者であれば、創造的な努力をすることなく、これらの添付の図面から他の図面をさらに導き出すことができる。
【図面の簡単な説明】
【００２３】
【図１】本発明の実施形態による、着用式装置の概略的な構造図である。
【図２】本発明の実施形態による、着用式装置の着脱可能部品と、シェルとの嵌合構造の概略図である。
【図３】本発明の実施形態による、着用式装置の着脱可能部品と、シェルとの嵌合構造の分解図である。
【図４】本発明の実施形態による、着用式装置の着脱可能部品の概略的な構造図である。
【図５】本発明の別の実施形態による、着用式装置の着脱可能部品と、シェルとの嵌合構造の分解図である。
【発明を実施するための形態】
【００２４】
以下、本発明の実施形態における技術的解決策について、本発明の実施形態の添付の図面を参照しながら、より明確に説明する。説明されている実施形態は、本発明の実施形態の全てではなく、一部にすぎないことは明らかである。本発明の実施形態に基づいて、当業者が創造的な努力をすることなく得た他の全ての実施形態は、本発明の保護の範囲に属する。
【００２５】
本発明の実施形態は、着用式装置を提供する。使用者は、着用式装置の内側と外側との空気圧の平衡をとるように、着用式装置の平衡通気口を塞ぐ塵を簡単に除去することができる。これにより、装置の内部部品の寿命が効果的に延長され、製品使用時の使用感が向上する。
【００２６】
図1および図2に示すように、着用式装置は、シェル1と、着用式装置の機能を実施するためにシェル1に取り付けられた、本体3とを備える。着用式装置は、着脱可能部品2をさらに備え、着脱可能部品2は、シェル1に着脱可能に取り付けられる。シェル1には通気口11が設けられ、通気口11の第1の端部は、本体3に面するシェル1の表面に配置され、通気口11の第2の端部は、本体3の反対側に面する、シェル1の表面に配置される。シェル1に取り付けられると、着脱可能部品2は、通気口11の第2の端部を覆い、着脱可能部品2とシェル1とは、集塵溝21と、少なくとも1つの空気流路22とを共に形成する。通気口11は、集塵溝21を介して空気流路22と連通し、集塵溝21の反対側に面する空気流路22の一端は、シェル1の外部環境と連通し、すなわち通気口11と、集塵溝21と、空気流路22とは、平衡通気口を共に形成する。
【００２７】
本着用式装置では、集塵溝21は、シェル1に設けられた通気口11の第2の端部と連通し、空気流路22は、集塵溝21、およびシェル1の外部環境と連通する。したがって、空気流路22と、集塵溝21と、通気口11とで形成された平衡通気口は、シェル1の内部空間と、外部環境との間の連通を実施することができ、これによって、シェル1の内外の空気圧平衡機能を実施する。また、平衡通気口に入る際に、外部環境にある塵などの夾雑物は、まず空気流路22に入り、次に集塵溝21に集められる。着用式装置の平衡通気口を清浄化する必要がある場合は、使用者がシェル1から着脱可能部品2を取り外せば、集塵溝21が露出して、使用者は集塵溝21に溜まった夾雑物を除去することができる。
【００２８】
したがって、本着用式装置では、使用者は平衡通気口を塞ぐ塵を簡単に除去することができ、これにより製品使用時の使用感が向上する。
【００２９】
着脱可能部品2と、本体1とは、複数の手順で、集塵溝21と、空気流路22とを共に形成し得る。詳細については、以下に説明する。
【００３０】
手順1：図3および図4に具体的に示すように、第1の凹部が、通気口11の第2の端部に面する、着脱可能部品2の表面に設けられ、第1の凹部と、本体1の反対側に面するシェル1の表面とが、集塵溝21を共に形成する。例えば、第1の凹部にある凹区画211は、本体3の反対側に面するシェル1の表面と共に、集塵溝21を形成するように構成される。この事例では、塵などの夾雑物は、第1の凹部の凹区画211に溜まり、着脱可能部品をシェルから取り外すと、第1の凹部の凹区画211に溜まった夾雑物もシェルから取り出すことができ、塵の処理の利便性がさらに向上する。
【００３１】
当然ながら、第1の凹部は、集塵溝21と通気口11との間に連通を実施する連結流路23を形成するように構成された、凹区画231をさらに含んでもよい。
【００３２】
当然ながら、第1の凹部にあり、集塵溝21を形成するように構成された凹区画211は、あるいは通気口11の反対側にあってもよく、すなわち通気口11の第2の端部は、図5に具体的に示されているように、形成された集塵溝21の壁部に直接配置される。
【００３３】
手順2：当然ながら、第2の凹部（図示せず）は、あるいは本体3の反対側に面する、シェル1の表面に形成されてもよく、第2の凹部と、着脱可能部品2の表面とが、集塵溝21を共に形成する。この事例では、着脱可能部品2がシェル1に取り付けられた後で、シェル1に対して動ける場合であっても、集塵溝21と、通気口11の第2の端部にある開口との相対位置は変化しない。これにより、集塵溝21と、通気口11の第2の端部にある開口との連通の安定性をさらに向上させることができる。
【００３４】
手順2に基づいて、本体3の反対側に面する、シェル1の表面に形成された第2の凹部は、集塵溝21と、通気口11の第2の端部との連通を実施する連結流路23を形成するように構成された、凹区画（図示せず）をさらに有してもよい。
【００３５】
手順3：第3の凹部が、通気口11の第2の端部にある開口に面する、着脱可能部品2の表面に設けられ、第3の凹部の開口とは反対側にある第4の凹部が、本体3の反対側に面するシェル1の表面に設けられ、第3の凹部と第4の凹部とが、集塵溝21を共に形成する。
【００３６】
当然ながら、集塵溝21は、他の手順で形成されてもよい。例えば、集塵溝21を形成する凹部が、着脱可能部品2に形成され、通気口11と集塵溝21との連通を実施する、連結流路23を形成する凹部が、本体3の反対側に面する、シェル1の表面に形成されてもよい。当然ながら、逆の手順にも対応しており、すなわち集塵溝21を形成する凹部が、本体3の反対側に面する、シェル1の表面に形成され、通気口11と集塵溝21との連通を実施する、連結流路23を形成する凹部が、着脱可能部品2の外面に形成されてもよい。これらの手順について、本明細書では1つずつ列挙しない。
【００３７】
当然ながら、空気流路22もまた、複数の手順で形成されてもよい。詳細については、以下に説明する。
【００３８】
手順1：図3、図4、および図5に示すように、着脱可能部品2の表面に第3の凹部221が形成されてもよく、第3の凹部221と、本体3の反対側に面するシェル1の表面とが、空気流路22を共に形成する。
【００３９】
手順2：あるいは、空気流路22を形成するために、着脱可能部品2の内側にビアが設けられてもよい。
【００４０】
手順3：当然ながら、あるいは凹部は、着脱可能部品2の表面と共に空気流路22を形成するように、本体3の反対側に面するシェル1の表面に設けられてもよい。
【００４１】
空気流路22は、他の手順で形成されてもよい。これらの手順について、本明細書では1つずつ列挙しない。
【００４２】
当然ながら、平衡通気口を形成するように構成された、少なくとも2つの空気流路22があってもよい。図3に具体的に示されているように、着脱可能部品2に設けられ、空気流路22を形成するように構成された凹区画221は、本体3の反対側に面するシェル1の表面と共に、少なくとも2つの空気流路22を形成してもよい。この事例では、空気流路22のうちの1つが塞がれると、集塵溝21が、もう1つの空気流路22を介してシェルの外部環境となお連通することができる。複数の空気流路22が、同時に塞がる可能性は極めて低い。したがって、平衡通気口が塞がる可能性を低くすることができ、着用式装置にある平衡通気口の機能の安定性を向上させることができる。
【００４３】
具体的には、図3および図5に示すように、本体3の反対側に面するシェル1の表面に溝12が形成され、通気口11の第2の端部が、溝12の底部に配置され、着脱可能部品2の少なくとも一部が溝12に嵌め込まれる。着脱可能部品2は、本体3の反対側に面するシェル1の表面に形成された、溝12に嵌め込まれる。これは、着脱可能部品2の外面と、本体3の反対側に面する、シェル1の表面との嵌合の安定性を実現するのに役立てることができ、さらに着脱可能部品2と、シェル1との組み付けおよび取り外しを容易にすることができる。
【００４４】
具体的には、着用式装置は腕時計であってもよく、シェル1に取り外し可能に結合される着脱可能部品2は、具体的には腕時計バンドであってもよい。
【００４５】
当然ながら、識別モジュールであるSIMカードを挿入するように構成されたスロットが、着用式装置のシェル1に設けられてもよい。つまり、識別モジュールであるSIMカードを挿入するように構成されたスロットは、溝12を形成し、着脱可能部品2は、図5に示すように、スロットに蓋をするように構成されたカードカバーである。
【００４６】
平衡通気口の防水性能を向上させるために、着用式装置は、通気口11を封止するための防水通気膜13をさらに備える。防水通気膜13は、図1および図2に具体的に示すように、通気口11の第1の端部を封止するために、本体3に面するシェル1の表面に配置されてもよい。当然ながら、防水通気膜13は、あるいは通気口11の第2の端部を封止するために、本体3の反対側に面する、シェル1の表面に配置されてもよい（図示せず）。防水通気膜13の配置後は、通気口11の通気性に影響を及ぼすことなく、シェル1の内部に水分が入るのを防止することができ、さらに通気口11に入る夾雑物を遮断することができる。
【００４７】
当業者であれば、本発明の精神および範囲から逸脱することなく、本発明の実施形態に様々な修正および変形を加えることができる。本発明は、このような修正および変形が、以下の特許請求の範囲、およびその等価の技術によって定義される保護の範囲内であれば、これらを網羅することが意図されている。
【符号の説明】
【００４８】
1  シェル、本体
2  着脱可能部品
3  本体
11  通気口
12  溝
13  防水通気膜
21  集塵溝
22  空気流路
23  連結流路
211  凹区画
221  凹区画
231  凹区画
【図１】
2019516325.tif 000003
【図２】
2019516325.tif 000004
【図３】
2019516325.tif 000005
【図４】
2019516325.tif 000006
【図５】
2019516325.tif 000007
【国際調査報告】
2019516325.tif 000008
2019516325.tif 000009
2019516325.tif 000010
2019516325.tif 000011
2019516325.tif 000012
2019516325.tif 000013